(57)【要約】【課題】例えば、フロントライトから出射されや光を液晶装置等の電気光学パネルで変調し、複数の画素相互において均一な輝度で画像を表示する。【解決手段】開口部（ＰＡ）及び開口部（ＰＢ）の夫々のサイズは、開口部（ＰＡ）を介して液晶パネル（１００）に出射される第１出射光の光量と、開口部（ＰＢ）を介して液晶パネル（１００）に出射される第２出射光の光量とが相互に等しくなるように設定されている。より具体的には、第１接続経路部（２７０Ａ）の電気抵抗が、第２接続経路部（２７０Ｂ）の電気抵抗より大きいため、開口部（ＰＡ）のサイズは、開口部（ＰＢ）のサイズより大きく設定されている。【選択図】図４
2010243539.tif 000002
【特許請求の範囲】
【請求項１】
（ｉ）基板と、（ｉｉ）前記基板上に形成されており、電源の陽極及び陰極のうち一方の極に電気的に接続された第１端子部と、（ｉｉｉ）前記基板上に形成されており、前記陽極及び前記陰極の他方の極に電気的に接続された第２端子部と、（ｉｖ）前記基板上に形成された第１発光素子と、（ｖ）前記第１端子部及び前記第２端子部の夫々と前記第１発光素子とを電気的に接続する第１接続経路部と、（ｖｉ）前記基板上において前記第１発光素子の位置と相互に異なる位置に形成された第２発光素子と、（ｖｉｉ）前記第１端子部及び前記第２端子部の夫々と前記第２発光素子とを電気的に接続しており、前記第１接続経路部の電気抵抗と異なる電気抵抗を有する第２接続経路部と、（ｖｉｉｉ）前記第１発光素子に重なっており、前記第１発光素子から出射された第１出射光を透過可能な第１開口部と、（ｉｘ）前記第２発光素子に重なっており、前記第２発光素子から出射された第２出射光を透過可能な第２開口部とを有する照明装置と、
（ｉ）前記第１出射光及び前記第２出射光を変調する光学層と、（ｉｉ）前記第１開口部及び前記第２開口部の夫々に各々が重なっており、前記変調された第１出射光及び第２出射光の夫々を、前記照明装置側に反射する第１反射電極及び第２反射電極とを有する電気光学パネルとを備え、
前記第１開口部及び第２開口部の夫々のサイズは、前記第１出射光の光量と、前記第２出射光の光量とが相互に等しくなるように設定されており、
前記第１反射電極及び前記第２反射電極の夫々のサイズは、前記変調された第１出射光及び第２出射光のうち前記第１反射電極及び前記第２反射電極の夫々によって反射された第１反射光及び第２反射光の夫々の光量が相互に等しくなるように設定されていること
を特徴とする電気光学装置。
【請求項２】
前記第１接続経路部の電気抵抗が、前記第２接続経路部の電気抵抗より大きい場合に、前記第１反射電極のサイズは、前記第２反射電極のサイズより大きいこと
を特徴とする請求項１に記載の電気光学装置。
【請求項３】
（ｉ）基板と、（ｉｉ）前記基板上に形成されており、電源の陽極及び陰極のうち一方の極に電気的に接続された第１端子部と、（ｉｉｉ）前記基板上に形成されており、前記陽極及び前記陰極の他方の極に電気的に接続された第２端子部と、（ｉｖ）前記基板上に形成された第１発光素子と、（ｖ）前記第１端子部及び前記第２端子部の夫々と前記第１発光素子とを電気的に接続する第１接続経路部と、（ｖｉ）前記基板上において前記第１発光素子の位置と相互に異なる位置に形成された第２発光素子と、（ｖｉｉ）前記第１端子部及び前記第２端子部の夫々と前記第２発光素子とを電気的に接続しており、前記第１接続経路部の電気抵抗と異なる電気抵抗を有する第２接続経路部と、（ｖｉｉｉ）前記第１発光素子に重なっており、前記第１発光素子から出射された第１出射光を透過可能な第１開口部と、（ｉｘ）前記第２発光素子に重なっており、前記第２発光素子から出射された第２出射光を透過可能な第２開口部とを有する照明装置と、
（ｉ）前記第１出射光及び前記第２出射光を変調する光学層と、（ｉｉ）前記第１開口部及び前記第２開口部の夫々に各々が重なっており、前記変調された第１出射光及び第２出射光の夫々を、前記照明装置側に反射する第１反射電極及び第２反射電極とを有する電気光学パネルとを備え、
前記第１開口部及び第２開口部の夫々のサイズは、前記第１出射光の光量と、前記第２出射光の光量とが相互に等しくなるように設定されており、
前記第１反射電極及び前記第２反射電極の夫々の光反射率は、前記変調された第１出射光及び第２出射光のうち前記第１反射電極及び前記第２反射電極の夫々によって反射された第１反射光及び第２反射光の夫々の光量が相互に等しくなるように設定されていること
を特徴とする電気光学装置。
【請求項４】
前記第１接続経路部の電気抵抗が、前記第２接続経路部の電気抵抗より大きい場合に、前記第１反射電極の光反射率は、前記第２反射電極の光反射率より大きいこと
を特徴とする請求項３に記載の電気光学装置。
【請求項５】
前記第１接続経路部の電気抵抗が、前記第２接続経路部の電気抵抗より大きい場合に、前記第１開口部のサイズは、前記第２開口部のサイズより大きいこと
を特徴とする請求項１から４の何れか一項に記載の電気光学装置。
【請求項６】
前記第１発光素子及び前記第２発光素子の夫々のサイズは相互に等しく、前記第１開口部及び前記第２開口部の夫々のサイズは、遮光部によって規定されていること
を特徴とする請求項１から５の何れか一項に記載の電気光学装置。
【請求項７】
請求項１から６の何れか一項に記載の電気光学装置を具備してなること
を特徴とする電子機器。
【発明の詳細な説明】
【技術分野】
【０００１】
本発明は、例えば、フロントライト等の照明装置から出射された光を液晶装置等の電気光学パネルで変調することによって画像を表示する電気光学装置、及びそのような電気光学装置を具備してなる携帯電話等の電子機器の技術分野に関する。
【背景技術】
【０００２】
この種の電気光学装置では、発光ダイオード等の複数の発光素子がマトリクス状に配列されたフロントライトから液晶装置等の電気光学パネルに光が出射される。発光素子は、フロントライトに設けられた端子部と、当該端子部に電気的に接続された配線部とを介して供給された電源によって駆動される。特許文献１は、フロントライトから出射される光の光取り出し効率を高めることが可能な技術の一例を開示している。
【先行技術文献】
【特許文献】
【０００３】
【特許文献１】特開２００８−７７８６５号公報
【発明の概要】
【発明が解決しようとする課題】
【０００４】
しかしながら、複数の発光素子の夫々と、端子部との間の電気抵抗は、複数の発光素子の夫々の位置によって相互に異なるため、複数の発光素子の夫々に流れる電流が相互に異なる。より具体的には、複数の発光素子の夫々に共通の端子部と、当該複数の発光素子の夫々とを電気的に接続する配線部の電気抵抗は、端子部及び発光素子間の距離によって相互に異なるため、配線部の電気抵抗の違いが、各発光素子に流れる電流の違いとなってあらわれる。このため、複数の発光素子の夫々から出射される光の光量を相互に揃えることが困難であり、フロントライト及び液晶装置を含む表示装置の複数の画素相互で輝度を揃えることが困難になる技術的問題点がある。
【０００５】
加えて、複数の発光素子の夫々と、端子部とを相互に電気的に接続する配線部は、発光素子から出射された光を遮らないようにＩＴＯ等の透明導電材料で構成される。このような透明導電材料は、アルミニウム或いは銅等の不透明な導電材料に比べて、相対的に電気抵抗が大きいため、複数の発光素子の夫々と、これら発光素子に共通の端子部との間の電気抵抗の相違はより一層顕著となり、複数の発光素子相互で光量を相互に揃えることがより一層困難になる。
【０００６】
よって、本発明は上記問題点等に鑑みてなされたものであり、例えば、フロントライトから出射されや光を液晶装置等の電気光学パネルで変調し、複数の画素相互において均一な輝度で画像を表示可能な電気光学装置、及びそのような電気光学装置を具備してなる電子機器を提供することを課題とする。
【課題を解決するための手段】
【０００７】
本発明の第１の発明に係る電気光学装置は上記課題を解決するために、（ｉ）基板と、（ｉｉ）前記基板上に形成されており、電源の陽極及び陰極のうち一方の極に電気的に接続された第１端子部と、（ｉｉｉ）前記基板上に形成されており、前記陽極及び前記陰極の他方の極に電気的に接続された第２端子部と、（ｉｖ）前記基板上に形成された第１発光素子と、（ｖ）前記第１端子部及び前記第２端子部の夫々と前記第１発光素子とを電気的に接続する第１接続経路部と、（ｖｉ）前記基板上において前記第１発光素子の位置と相互に異なる位置に形成された第２発光素子と、（ｖｉｉ）前記第１端子部及び前記第２端子部の夫々と前記第２発光素子とを電気的に接続しており、前記第１接続経路部の電気抵抗と異なる電気抵抗を有する第２接続経路部と、（ｖｉｉｉ）前記第１発光素子に重なっており、前記第１発光素子から出射された第１出射光を透過可能な第１開口部と、（ｉｘ）前記第２発光素子に重なっており、前記第２発光素子から出射された第２出射光を透過可能な第２開口部とを有する照明装置と、（ｉ）前記第１出射光及び前記第２出射光を変調する光学層と、（ｉｉ）前記第１開口部及び前記第２開口部の夫々に各々が重なっており、前記変調された第１出射光及び第２出射光の夫々を、前記照明装置側に反射する第１反射電極及び第２反射電極とを有する電気光学パネルとを備え、前記第１開口部及び第２開口部の夫々のサイズは、前記第１出射光の光量と、前記第２出射光の光量とが相互に等しくなるように設定されており、前記第１反射電極及び前記第２反射電極の夫々のサイズは、前記変調された第１出射光及び第２出射光のうち前記第１反射電極及び前記第２反射電極の夫々によって反射された第１反射光及び第２反射光の夫々の光量が相互に等しくなるように設定されている。
【０００８】
本発明に係る電気光学装置によれば、照明装置は、電気光学パネルに第１出射光及び第２出射光を出射する光源として機能すると共に、電気光学パネルで反射された第１反射光及び第２反射光を透過させる。当該透過した光によって画像が表示される。
【０００９】
第１端子部は、基板上に形成されており、電源の陽極及び陰極のうち一方の極に電気的に接続されている。第１端子部は、例えば、矩形状の平面形状を有する基板の一辺に沿った中心部に配置されたり、或いは、当該一辺に沿って対称な位置に配置された複数の部分から構成されたりする。
【００１０】
第２端子部は、前記基板上に形成されており、前記陽極及び前記陰極の他方の極に電気的に接続されており、第１端子部と同様に、矩形状の平面形状を有する基板の一辺に沿った中心部に配置されたり、或いは、当該一辺に沿って対称な位置に配置された複数の部分から構成されたりする。
【００１１】
第１発光素子は、例えば、有機ＥＬ素子等の電流駆動型の自発光素子であり、前記基板上に形成されている。
【００１２】
第１接続経路部は、前記第１端子部及び前記第２端子部の夫々と前記第１発光素子とを電気的に接続しており、例えば、前記第１端子部及び前記第２端子部の夫々と前記第１発光素子とを電気的に接続する配線部の一部である。
【００１３】
第２発光素子は、前記基板上において前記第１発光素子の位置と相互に異なる位置に形成されており、第１発光素子と同様に、例えば、有機ＥＬ素子等の電流駆動型の自発光素子である。
【００１４】
第２接続経路部は、前記第１端子部及び前記第２端子部の夫々と前記第２発光素子とを電気的に接続しており、前記第１接続経路部の電気抵抗と異なる電気抵抗を有している。第１接続経路部及び第２接続経路部の夫々の電気抵抗が相違する理由は、第１接続経路部及び第２接続経路部が同一配線部のうち相互に異なる部分から構成されている場合、各端子部から第１発光素子及び第２発光素子の夫々までの距離の相違による。加えて、基板上に形成され、且つ第１接続経路部及び第２接続経路部を構成する配線部の平面的なレイアウトも一因となる。
【００１５】
第１開口部は、前記第１発光素子に重なっており、前記第１発光素子から出射された第１出射光を透過可能である。このような第１開口部は、第１発光素子のサイズ或いは第１発光素子から出射された光の光量を規制する遮光膜によって規定されている。
【００１６】
第２開口部は、前記第２発光素子に重なっており、前記第２発光素子から出射された第２出射光を透過可能である。このような第２開口部は、第１開口部と同様に、第２発光素子のサイズ或いは第２発光素子から出射された光の光量を規制する遮光膜によって規定されている。
【００１７】
電気光学パネルは、液晶層等の光学層を備えており、前記第１出射光及び前記第２出射光を変調する。加えて、電気光学パネルは、変調された第１出射光及び第２出射光の夫々を、前記照明装置側に反射する第１反射電極及び第２反射電極とを有している。第１反射電極及び第２反射電極は、前記第１開口部及び前記第２開口部の夫々に各々が重なっている。
【００１８】
ここで、第１接続経路部及び第２接続経路部の夫々の電気抵抗の相違に起因して、第１発光素子及び第２発光素子の夫々が発光する発光量が互いに異なるため、各発光素子から電気光学パネルに出射される光の光量が相違し、最終的に表示される画像に輝度ムラが生じてしまう恐れがある。
【００１９】
そこで、本発明に係る電気光学装置によれば、前記第１開口部及び第２開口部の夫々のサイズが、前記第１出射光の光量と、前記第２出射光の光量とが相互に等しくなるように設定されており、前記第１反射電極及び前記第２反射電極の夫々のサイズが、前記変調された第１出射光及び第２出射光のうち前記第１反射電極及び前記第２反射電極の夫々によって反射された第１反射光及び第２反射光の夫々の光量が相互に等しくなるように設定されている。
【００２０】
よって、本発明の第１の発明に係る電気光学装置によれば、各端子部から各発光素子までの接続経路部の電気抵抗の相違に起因して生じうる画像の輝度むらを低減でき、高品位の画像表示が可能になる。
【００２１】
本発明の第１の発明に係る電気光学装置の一の態様では、記第１接続経路部の電気抵抗が、前記第２接続経路部の電気抵抗より大きい場合に、前記第１反射電極のサイズは、前記第２反射電極のサイズより大きくてもよい。
【００２２】
この態様によれば、電気抵抗の違いを一因として、第１出射光の光量が、第２出射光の光量より低い場合でも、最終的に表示される画像の輝度むらを低減できる。
【００２３】
本発明の第２の発明に係る電気光学装置は上記課題を解決するために、（ｉ）基板と、（ｉｉ）前記基板上に形成されており、電源の陽極及び陰極のうち一方の極に電気的に接続された第１端子部と、（ｉｉｉ）前記基板上に形成されており、前記陽極及び前記陰極の他方の極に電気的に接続された第２端子部と、（ｉｖ）前記基板上に形成された第１発光素子と、（ｖ）前記第１端子部及び前記第２端子部の夫々と前記第１発光素子とを電気的に接続する第１接続経路部と、（ｖｉ）前記基板上において前記第１発光素子の位置と相互に異なる位置に形成された第２発光素子と、（ｖｉｉ）前記第１端子部及び前記第２端子部の夫々と前記第２発光素子とを電気的に接続しており、前記第１接続経路部の電気抵抗と異なる電気抵抗を有する第２接続経路部と、（ｖｉｉｉ）前記第１発光素子に重なっており、前記第１発光素子から出射された第１出射光を透過可能な第１開口部と、（ｉｘ）前記第２発光素子に重なっており、前記第２発光素子から出射された第２出射光を透過可能な第２開口部とを有する照明装置と、（ｉ）前記第１出射光及び前記第２出射光を変調する光学層と、（ｉｉ）前記第１開口部及び前記第２開口部の夫々に各々が重なっており、前記変調された第１出射光及び第２出射光の夫々を、前記照明装置側に反射する第１反射電極及び第２反射電極とを有する電気光学パネルとを備え、前記第１開口部及び第２開口部の夫々のサイズは、前記第１出射光の光量と、前記第２出射光の光量とが相互に等しくなるように設定されており、前記第１反射電極及び前記第２反射電極の夫々の光反射率は、前記変調された第１出射光及び第２出射光のうち前記第１反射電極及び前記第２反射電極の夫々によって反射された第１反射光及び第２反射光の夫々の光量が相互に等しくなるように設定されている。
【００２４】
本発明に係る電気光学装置によれば、前記第１反射電極及び前記第２反射電極の夫々の光反射率は、前記変調された第１出射光及び第２出射光のうち前記第１反射電極及び前記第２反射電極の夫々によって反射された第１反射光及び第２反射光の夫々の光量が相互に等しくなるように設定されている点で、上述の電気光学装置と相違する。第１反射電極及び第２反射電極の夫々の光反射率は、例えば、光反射率が相互に異なる金属材料を用いて第１反射電極及び第２反射電極を構成したり、第１反射電極及び第２反射電極の夫々の表面に相互に異なる凹凸形状を形成したりすることによって変更できる。
【００２５】
よって、本発明に係る電気光学装置によれば、上述の電気光学装置と同様に、各端子部から各発光素子までの接続経路部の電気抵抗の相違に起因して生じうる画像の輝度むらを低減でき、高品位の画像表示が可能になる。
【００２６】
本発明の第２の発明に係る電気光学装置の一の態様では、前記第１接続経路部の電気抵抗が、前記第２接続経路部の電気抵抗より大きい場合に、前記第１反射電極の光反射率は、前記第２反射電極の光反射率より大きくてもよい。
【００２７】
この態様によれば、電気抵抗の違いを一因として、第１出射光の光量が、第２出射光の光量より低い場合でも、最終的に表示される画像の輝度むらを低減できる。
【００２８】
本発明の第１及び第２の発明に係る電気光学装置の他の態様では、記第１接続経路部の電気抵抗が、前記第２接続経路部の電気抵抗より大きい場合に、前記第１開口部のサイズは、前記第２開口部のサイズより大きくてもよい。
【００２９】
この態様によれば、電気抵抗の違いを一因として、第１発光素子の発光量が、第２発光素子の発光量より低い場合でも、最終的に表示される画像の輝度むらを低減できる。できる。
【００３０】
本発明の第１及び第２の発明に係る電気光学装置の他の態様では、記第１発光素子及び前記第２発光素子の夫々のサイズは相互に等しく、前記第１開口部及び前記第２開口部の夫々のサイズは、遮光部によって規定されていてもよい。
【００３１】
この態様によれば、各発光素子に流れる駆動電流を相互に均一にできるため、各発光素子相互の寿命を均一にできる。
【００３２】
本発明の第３の発明に係る電子機器は上記課題を解決するために、上述の電気光学装置を具備してなる。
【００３３】
本発明に係る電子機器によれば、高品位の画像を表示可能な携帯電話、モバイルノードパーソナルコンピュータ、デジタルカメラ、ビデオカメラ、カムコーダ等の電子機器を提供できる。
【００３４】
本発明のこのような作用及び他の利得は次に説明する実施形態から明らかにされる。
【図面の簡単な説明】
【００３５】
【図１】本発明の第１の発明の一実施形態である液晶装置の平面図である。
【図２】図１のＩＩ−ＩＩ´断面図である。
【図３】本発明の第１の発明の一実施形態である液晶装置が備えるフロントライトの概略構造を図式的に示した平面図である。
【図４】本発明の第１の発明の一実施形態である液晶装置が備えるフロントライトの一部の構造を図式的に示した部分平面図である。
【図５】図４のＶ−Ｖ´断面図である。
【図６】本発明の第１の発明の一実施形態である液晶装置が備えるフロントライトの他の部分の構造を図式的に示した部分平面図である。
【図７】本発明の第１の発明の一実施形態である液晶装置の構造を図式的に示した断面図である。
【図８】本発明の第１の発明の一実施形態である液晶装置が備えるフロントライトの変形例の一部の構造を図式的に示した部分平面図である。
【図９】図８のＩＸ−ＩＸ´断面図である。
【図１０】本発明の第２の発明の一実施形態である液晶装置の構造を図式的に示した断面図である。
【図１１】本実施形態に係る電子機器の一例であるコンピュータの斜視図である。
【図１２】本実施形態に係る電子機器の一例である携帯電話の斜視図である。
【発明を実施するための形態】
【００３６】
以下、図面を参照しながら本発明の第１及び第２の夫々に係る電気光学装置の実施形態である液晶装置を説明する。
【００３７】
＜第１実施形態＞
先ず、図１乃至図７を参照しながら、本発明の第１の発明に係る電気光学装置の一実施形態である液晶装置１を説明する。
【００３８】
＜１−１：液晶装置の全体構成＞
図１及び図２を参照しながら、液晶装置１の全体構成を説明する。図１は、液晶装置１が画像を表示する表示面２００Ｂ側から液晶装置１を見た液晶装置１の平面図である。図２は、図１のＩＩ−ＩＩ´断面図である。
【００３９】
図１及び図２において、液晶装置１は、本発明の「照明装置」の一例であるフロントライト２００と、本発明の「電気光学パネル」の一例である液晶パネル１００と、偏光板６０とを備えている。
【００４０】
図１及び図２において、フロントライト２００は、第１基板２１０と、本発明の「基板」の一例である第２基板２２０と、図中下側である第２基板２２０上に形成された複数の有機ＥＬ素子２５０と、複数の有機ＥＬ素子２５０に対応して設けられた複数の開口部Ｐと、複数の開口部Ｐに対応して設けられた複数の透過部Ｔと、中間層２４０と、遮光膜２６４とを備えている。複数の透過部Ｔの夫々が、画像を表示する表示面２００Ｂ上の画像表示領域を構成する複数の画素に対応している。
【００４１】
透過部Ｔは、液晶パネル１００で反射された光を画像表示面２００Ｂに透過させる。このような複数の透過部Ｔは、遮光膜２６４によって規定され、且つ第２基板２２０の画像表示面にマトリクス状に配列されている。画像表示面２００Ｂにおける画像表示領域を構成する複数の画素は、各透過部Ｔに対応して規定されている。
【００４２】
開口部Ｐは、出射面２００Ａに臨んでおり、有機ＥＬ素子２５０で発生した光のうち液晶パネル１００に出射される出射光の光量を規定する。開口部Ｐから液晶パネル１００に出射された出射光Ｌ１は、反射電極９によって反射される。反射電極９によって反射された反射光Ｌ２は、開口部Ｐ及び透過部Ｔを介して画像表示面２００Ｂから出射される。
【００４３】
液晶パネル１００は、本発明の「電気光学パネル」の一例である。液晶パネル１００は、本発明の「光学層」の一例である液晶層５０と、ＴＦＴ等の素子が形成されたＴＦＴアレイ基板１０と、配向膜１６及び２２と、対向電極２１と、複数のカラフィルタ２４と、接着層２５と、対向基板２０と、複数の反射電極９とを備えている。
【００４４】
液晶装置１の動作時において、複数の反射電極９の夫々には駆動回路を介して画像信号が供給される。複数の反射電極９及び対向電極２１間の電位差に応じて、液晶層５０に駆動電圧が印加され、液晶層５０のうち各反射電極９に対応する部分の配向状態が制御される。フロントライト２００が有する複数の有機ＥＬ素子２５０の夫々で発生した光のうち各開口部Ｐを介して液晶パネル１００に出射された出射光Ｌ１は、液晶層５０に変調された後、複数の反射電極９によって反射される。複数の反射電極９によって反射された反射光Ｌ２が開口部Ｐ及び透過部Ｔを介して表示面２００Ｂから図２中上側に向かって出射されることにより、表示面２００Ｂ側に画像が表示される。
【００４５】
＜１−２：フロントライトの構成＞
次に、図３乃至図５を参照しながら、フロントライトの構成を詳細に説明する。図３は、フロントライト２００の概略構造を図式的に示した平面図である。図４は、フロントライト２００の一部の構造を図式的に示した部分平面図である。図５は、図４のＶ−Ｖ´断面図である。図６は、フロントライト２００の他の部分の構造を図式的に示した部分平面図である。
【００４６】
図３において、フロントライト２００は、対向基板２２０上に、複数の有機ＥＬ素子２５０と、本発明の「第１端子部」の一例である陽極端子２６１Ｐと、陽極配線２６１と、本発明の「第２端子部」の一例を構成する２つの陰極端子２６２Ｐと、陰極配線２６２とを備えている。
【００４７】
複数の有機ＥＬ素子２５０のうち互いに異なる位置に配置された有機ＥＬ素子２５０Ａ及び２５０Ｂの夫々が、本発明の「第１発光素子」及び「第２発光素子」の夫々の一例である。
【００４８】
陽極配線２６１及び陰極配線２６２の夫々の一部から構成される第１接続経路部２７０Ａは、陽極端子２６１Ｐ及び陰極端子２６２Ｐと、有機ＥＬ素子２５０Ａとを電気的に接続している。陽極配線２６１及び陰極配線２６２の夫々の一部から構成される第２接続経路部２７０Ｂは、陽極端子２６１Ｐ及び陰極端子２６２Ｐと、有機ＥＬ素子２５０Ｂとを電気的に接続している。第２接続経路部２７０Ｂは、有機ＥＬ素子２５０Ｂの位置が有機ＥＬ素子２５０Ａの位置と異なることに起因して、第１接続経路部２７０Ａの電気抵抗と異なる電気抵抗を有している。特に、陽極配線２６１及び陰極配線２６２の夫々が、アルミニウム等の不透明な金属配線に比べて高抵抗なＩＴＯ等の透明導電材料によって構成されているため、第１接続経路部２７０Ａ及び第２接続経路部２７０Ｂの夫々の電気抵抗の違いが大きくなる。したがって、陽極端子２６１Ｐ及び陰極端子２６２Ｐの夫々を介して電源２８０から有機ＥＬ素子２５０Ａ及び２５０Ｂの夫々に相互に等しい電流を供給したとしても、実質的には、第１接続経路部２７０Ａ及び第２接続経路部２７０Ｂの夫々の電気抵抗の違いに起因して、有機ＥＬ素子２５０Ａ及び２５０Ｂの夫々の発光量が相互に異なる。しかしながら、後述する液晶装置１に特有の構成により、最終的に画像表示面２００Ｂから表示される画像に生じる輝度むらを低減できる。
【００４９】
図４及び図５において、フロントライト２００は、第１基板２１０上に順次形成された下地層２８１と、絶縁膜２８２と、ＩＴＯ等の透明導電材料で各々構成された陽極配線２６１及び陰極配線２６２と、絶縁膜２８３及び２８４と、接着層２８５と、遮光膜２６４と、その上に配置された第２基板２２０とを備えている。
【００５０】
有機ＥＬ素子２５０Ａは、コンタクト部２６５及び陰極２６３を介して陰極配線２６２に電気的に接続されている。有機ＥＬ素子２５０Ａは、陽極配線２６１に電気的に接続されている。透過部Ｔは、遮光膜２６４によって規定されている。
【００５１】
図６において、有機ＥＬ素子２５０Ｂは、有機ＥＬ素子２５０Ａと同様に陽極配線２６１及び陰極配線２６２に電気的に接続されている。開口部ＰＢは、本発明の「第２開口部」の一例であり、フロントライト２００の両面のうち液晶パネル１００に臨む表面２００Ａに臨んでいる。
【００５２】
図４乃至図６に示すように、開口部ＰＡは、平面的に見て有機ＥＬ素子２５０Ａに重なっており、液晶装置１の動作時に有機ＥＬ素子２５０Ａから出射された第１出射光を液晶パネル１００に向かって透過する。開口部ＰＢは、有機ＥＬ素子２５０Ｂに重なっており、有機ＥＬ素子２５０Ｂから出射された第２出射光を液晶パネル１００に向かって透過する。
【００５３】
開口部ＰＡ及び開口部ＰＢの夫々のサイズは、開口部ＰＡを介して液晶パネル１００に出射される第１出射光の光量と、開口部ＰＢを介して液晶パネル１００に出射される第２出射光の光量とが相互に等しくなるように設定されている。より具体的には、第１接続経路部２７０Ａの電気抵抗が、第２接続経路部２７０Ｂの電気抵抗より大きいため、開口部ＰＡのサイズは、開口部ＰＢのサイズより大きく設定されている。
【００５４】
よって、各接続経路部の電気抵抗の違いを一因として、有機ＥＬ素子２５０Ａの発光量が、有機ＥＬ素子２５０Ｂの発光量より低い場合でも、最終的に表示される画像の輝度むらを低減できる。
【００５５】
次に、図７を参照しながら、反射電極９を説明する。
【００５６】
図７において、複数の反射電極９のうち開口部ＰＡに重なる反射電極９ａは、本発明の「第１反射電極」の一例であり、そのサイズは、複数の反射電極９のうち開口部ＰＢに重なり、且つ本発明の「第２反射電極」の一例である反射電極９ｂのサイズより大きい。
【００５７】
したがって、第１接続経路部２７０Ａ及び第２接続経路部の夫々の電気抵抗の相違に起因して有機ＥＬ素子２５０Ａ及び２５０Ｂの夫々の発光量が相違し、開口部ＰＡ及びＰＢの夫々のサイズを調整するだけでは開口部ＰＡ及びＰＢの夫々を介して液晶パネル１００に出射される出射光の光量を等しくすることが困難である場合であっても、反射電極９ａ及び９ｂの夫々から開口部ＰＡ及びＰＢに向かって反射される反射光の光量を等しくすることが可能である。より具体的には、開口部ＰＡを介して反射電極９ａに向かって出射される出射光の光量が、開口部ＰＢを介して反射電極９ｂに向かって出射される出射光の光量より小さい場合であっても、反射電極９ａ及び９ｂのサイズに応じて各反射電極によって反射される反射光の光量を相互に等しくすることができる。
【００５８】
よって、液晶装置１によれば、各陽極端子２６１Ｐ及び陰極端子２６２Ｐから各有機ＥＬ素子２５０までの接続経路部の電気抵抗の相違に起因して生じうる画像の輝度むらを低減でき、高品位の画像表示が可能になる。
【００５９】
＜変形例＞
次に、図８及び図９を参照しながら、本実施形態に係る液晶装置の変形例を説明する。図８は、本実施形態である液晶装置が備えるフロントライトの変形例の一部の構造を図式的に示した部分平面図である。図９は、図８のＩＸ−ＩＸ´断面図である。尚、以下の変形例、及び実施形態の夫々において、上述の液晶装置１と共通する部分に共通の参照符号を付し、詳細な説明を省略する。
【００６０】
本例に係る液晶装置では、フロントライト２００が有する複数の有機ＥＬ素子２５０の夫々のサイズが相互に等しく、開口部Ｐのサイズは、遮光部２６８によって規定されている。より具体的には、図８及び図９に示すように、開口部ＰＡは、遮光部２６８によって規定されている。開口部ＰＢも開口部ＰＡと同様に、遮光部２６８と同層に形成された遮光部によって規定されている。
【００６１】
本例に係る液晶装置によれば、複数の有機ＥＬ素子２５０の夫々のサイズを相互に等しくした状態で、開口部ＰＡ及びＰＢから液晶パネル１００に向かって出射される出射光の光量を相互に等しくすることができる。よって、本例に係る液晶装置によれば、各有機ＥＬ素子２５０の夫々に流れる駆動電流を相互に均一にできるため、各有機ＥＬ素子２５０の夫々の寿命を相互に均一にすることが可能である。
【００６２】
＜第２実施形態＞
次に、図１０を参照しながら、本発明の第２の発明に係る電気光学装置の一実施形態である液晶装置５００を説明する。図１０は、本発明の第２の発明に係る電気光学装置の実施形態である液晶装置５００の構造を図式的に示した断面図である。
【００６３】
図１０において、本実施形態に係る液晶装置５００は、相互に光反射率が異なる反射電極９ａ１及び９ｂ１を備えている点で、上述の液晶装置１と構成が異なる。より具体的には、液晶装置５００の一部を構成する液晶パネル１００Ａは、開口部ＰＢに比べてサイズが大きい開口部ＰＡに重なり、且つ、反射電極９ｂ１に比べて光反射率が大きい反射電極９ａ１を備えている。このような反射電極９ａ１及び９ｂ１によれば、液晶層５０によって変調された変調された第１出射光Ｌ１Ａ及び第２出射光Ｌ１Ｂのうち、本発明の「第１反射電極」の一例である反射電極９ａ１、及び、本発明の「第２反射電極」の一例である反射電極９ｂ１の夫々によって反射された第１反射光Ｌ２Ａ及び第２反射光Ｌ２Ｂの夫々の光量を相互に等しくすることが可能である。
【００６４】
反射電極９ａ１及び９ｂ１の夫々の光反射率は、例えば、光反射率が相互に異なる金属材料を用いて反射電極９ａ１及び反射電極９ｂ１を構成したり、反射電極９ａ１及び９ｂ１の夫々の表面に相互に異なる凹凸形状を形成したりすることによって、第１反射光Ｌ２Ａ及び第２反射光Ｌ２Ｂの夫々の光量が相互に等しくなるように設定できる。また、反射電極９ａ１及び９ｂ１の夫々の電極厚みを相互に異なる厚みに設定したり、電極表面のコーティングを変更したりすることによって、第１反射光Ｌ２Ａ及び第２反射光Ｌ２Ｂの夫々の光量を相互に等しくすることも可能である。
【００６５】
よって、本実施形態に係る液晶装置５００によれば、上述の液晶装置１と同様に、陽極端子２６１Ｐ及び陰極端子２６２Ｐから各有機ＥＬ素子２５０までの接続経路部の電気抵抗の相違に起因して生じうる画像の輝度むらを低減でき、高品位の画像表示が可能になる。
【００６６】
尚、本実施形態に係る液晶装置５００においても、液晶装置１と同様に、最終的に各有機ＥＬ素子２５０に対応した透過部Ｔから出射される光によって表示される画像に輝度むらが生じないように、各端子及び有機ＥＬ素子間の接続経路部の電気抵抗の相違に応じて、開口部Ｐのサイズを設定しておいてもよいし、反射電極９のサイズを設定しておいてもよい。加えて、第１実施形態に係る液晶装置の変形例と同様に、開口部Ｐのサイズを遮光部によって規定し、複数の開口部Ｐのサイズを設定することによって、複数の有機ＥＬ素子２５０夫々の寿命を相互に均一にすることも可能である。
【００６７】
＜電子機器＞
次に、図１１及び図１２を参照しながら、上述した液晶装置を具備してなる電子機器の実施形態を説明する。
【００６８】
図１１は、上述した液晶装置が適用されたモバイル型のパーソナルコンピュータの斜視図である。図１１において、コンピュータ１２００は、キーボード１２０２を備えた本体部１２０４と、上述した液晶装置を含んでなる液晶表示ユニット１２０６とから構成されている。コンピュータ１２００は、上述の液晶装置を具備してなるので、輝度むらが低減された高品位の画像を表示可能である。
【００６９】
次に、上述した液晶装置を携帯電話に適用した例について説明する。図１２は、本実施形態の電子機器の一例である携帯電話の斜視図である。図１２において、携帯電話１３００は、複数の操作ボタン１３０２とともに、上述の各実施形態に係る液晶装置と同様の構成を有する液晶装置１００５を備えている。携帯電話１３００によれば、輝度むらが低減された高品位の画像表示が可能である。
【符号の説明】
【００７０】
９，９ａ，９ａ１，９ｂ，９ｂ１・・・反射電極、Ｐ，ＰＡ，ＰＢ・・・開口部、２００・・・フロントライト、１００，１００Ａ・・・液晶パネル、２６１・・・陽極配線、２６２・・・陰極配線、２６１Ｐ・・・陽極端子、２６２Ｐ・・・陰極端子
【図１】
2010243539.tif 000003
【図２】
2010243539.tif 000004
【図３】
2010243539.tif 000005
【図４】
2010243539.tif 000006
【図５】
2010243539.tif 000007
【図６】
2010243539.tif 000008
【図７】
2010243539.tif 000009
【図８】
2010243539.tif 000010
【図９】
2010243539.tif 000011
【図１０】
2010243539.tif 000012
【図１１】
2010243539.tif 000013
【図１２】
2010243539.tif 000014